(57)【要約】【課題】長期間の設置が可能で、大型化しても球状部全体を発光させることができる発光球状体を得る。【解決手段】内部が中空とされた球状部１２は、光透過性を有するポリエチレンで成形されている。このため、このような球状部１２は、光透過性を有するアクリル等で成形されたものに比べて割れにくく耐久性が高い。また、球状部１２の内部には球状部１２の骨格を成す骨格部１６が配置されている。これにより、球状部１２が補強され、長期間の設置に適したものとなっている。一方、球状部１２は白色となっており、球状部１２の内部には、骨格部１６に取り付けられた複数のＬＥＤ１８が配置されている。このため、外部から球状部１２の内部を見せずに球状部１２をその内側から複数のＬＥＤ１８で光らせることができると共に、光の一部は球状部１２の内部で乱反射した後に球状部１２を透過する。【選択図】図３
2014157250.tif 000002
【特許請求の範囲】
【請求項１】
白色のポリエチレンで成形されて光透過性を有し、内部が中空とされた球状部と、
前記球状部の内部に配置されて前記球状部の骨格を成す骨格部と、
前記球状部の内部に配置されて前記骨格部に取り付けられた複数の光源と、
を有する発光球状体。
【請求項２】
平面視において前記球状部の中心位置を軸心位置とする支柱が設けられると共に、前記支柱が前記球状部の設置状態の下端部を貫通しており、
さらに、前記骨格部は、前記球状部と前記支柱とを連結させて前記球状部を前記支柱に支持させている、請求項１記載の発光球状体。
【請求項３】
前記骨格部は、
前記球状部の中心部から放射状に延びて前記支柱と前記球状部とを連結する複数の第一骨格部材と、
前記複数の第一骨格部材及び前記支柱のうち前記球状部の中心部周りに互いに隣り合うもの同士を直線状に連結し、前記球状部の中心部周りに正多角形を形成するようにそれぞれ配置された複数の第二骨格部材と、
を備えており、前記第二骨格部材における前記球状部の内面との対向部に前記複数の光源のうちの少なくともいずれかが取り付けられている、請求項２記載の発光球状体。
【請求項４】
前記骨格部には、前記球状部の中心を円弧中心として弓状に湾曲する複数の円弧板が前記支柱の軸線周りに並設され、前記円弧板における前記球状部の内面との対向部に前記複数の光源のうちの少なくともいずれかが取り付けられている、請求項２又は請求項３に記載の発光球状体。
【請求項５】
前記骨格部は、
前記球状部の内部において前記球状部の中心の高さ位置よりも上方側の高さ位置に配置され、前記支柱に基端部が取り付けられて水平に延びる上側水平部材と、
前記球状部の内部において前記球状部の中心の高さ位置に配置され、前記支柱に基端部が取り付けられて前記上側水平部材と同じ方向に延びると共に、前記支柱からの延出長さが前記上側水平部材における前記支柱からの延出長さよりも長く設定された中間水平部材と、
前記球状部の内部において前記球状部の中心の高さ位置よりも下方側の高さ位置に配置され、前記支柱に基端部が取り付けられて前記上側水平部材と同じ方向に延びると共に、前記支柱からの延出長さが前記中間水平部材における前記支柱からの延出長さよりも短く設定された下側水平部材と、
を備えており、
前記円弧板は、前記上側水平部材の先端部、前記中間水平部材の先端部、及び前記下側水平部材の先端部に取り付けられている、請求項４記載の発光球状体。
【請求項６】
前記球状部は、前記支柱の軸線周りに並設される複数のピースで構成され、
前記複数のピースの各々は、前記球状部の外周面の一部を構成する本体部と、前記本体部において隣り合う他の前記本体部との境界部から前記球状部の内側に延出されると共に隣り合う前記ピース同士の連結用とされたフランジ部と、を備えている、請求項２〜請求項５のいずれか１項に記載の発光球状体。
【発明の詳細な説明】
【技術分野】
【０００１】
本発明は、発光球状体に関する。
【背景技術】
【０００２】
立体造形物としては、例えば、風船本体の底部に透明部を設けると共に、風船本体の下方側に当該透明部に臨ませるＬＥＤを配置することで、装飾用の発光風船とするものがある（例えば、特許文献１参照）。
【先行技術文献】
【特許文献】
【０００３】
【特許文献１】特開２０１１−２４９４９公報
【発明の概要】
【発明が解決しようとする課題】
【０００４】
しかしながら、風船本体は、内部にガスが注入されて立体的に膨らむものに過ぎないため、長期間の設置には適さない。また、上記構成では、仮に広告用等として風船本体を非常に大きくした場合、風船本体の全体を発光状態にすることができない。
【０００５】
本発明は、上記事実を考慮して、長期間の設置が可能で、大型化しても球状部全体を発光させることができる発光球状体を得ることが目的である。
【課題を解決するための手段】
【０００６】
請求項１に記載する本発明の発光球状体は、白色のポリエチレンで成形されて光透過性を有し、内部が中空とされた球状部と、前記球状部の内部に配置されて前記球状部の骨格を成す骨格部と、前記球状部の内部に配置されて前記骨格部に取り付けられた複数の光源と、を有する。
【０００７】
請求項１に記載する本発明の発光球状体によれば、内部が中空とされた球状部は、光透過性を有するポリエチレンで成形されている。このため、このような球状部は、例えば、光透過性を有するアクリル等で成形されたものに比べて割れにくく耐久性が高い。また、球状部の内部には球状部の骨格を成す骨格部が配置されている。これにより、球状部が補強され、長期間の設置に適したものとなっている。
【０００８】
一方、球状部は白色となっており、球状部の内部には、骨格部に取り付けられた複数の光源が配置されている。このため、外部から球状部の内部を見せず（又は殆ど見せず）に球状部をその内側から複数の光源で光らせることができる。また、光の一部は球状部の内部で乱反射した後に球状部を透過する。そして、このような構成では、球状部を大型化しても球状部全体を発光させることが可能となっている。
【０００９】
請求項２に記載する本発明の発光球状体は、請求項１記載の構成において、平面視において前記球状部の中心位置を軸心位置とする支柱が設けられると共に、前記支柱が前記球状部の設置状態の下端部を貫通しており、さらに、前記骨格部は、前記球状部と前記支柱とを連結させて前記球状部を前記支柱に支持させている。
【００１０】
請求項２に記載する本発明の発光球状体によれば、平面視において球状部の中心位置を軸心位置とする支柱が設けられると共に、支柱が球状部の設置状態の下端部を貫通している。そして、骨格部は、球状部と支柱とを連結させて球状部を支柱に支持させているので、球状部を安定した状態で設置させることができる。
【００１１】
請求項３に記載する本発明の発光球状体は、請求項２記載の構成において、前記骨格部は、前記球状部の中心部から放射状に延びて前記支柱と前記球状部とを連結する複数の第一骨格部材と、前記複数の第一骨格部材及び前記支柱のうち前記球状部の中心部周りに互いに隣り合うもの同士を直線状に連結し、前記球状部の中心部周りに正多角形を形成するようにそれぞれ配置された複数の第二骨格部材と、を備えており、前記第二骨格部材における前記球状部の内面との対向部に前記複数の光源のうちの少なくともいずれかが取り付けられている。
【００１２】
請求項３に記載する本発明の発光球状体によれば、複数の第一骨格部材が、球状部の中心部から放射状に延びて支柱と球状部とを連結している。これに対して、複数の第二骨格部材は、複数の第一骨格部材及び支柱のうち球状部の中心部周りに互いに隣り合うもの同士を直線状に連結し、球状部の中心部周りに正多角形を形成するようにそれぞれ配置されている。そして、第二骨格部材における球状部の内面との対向部に複数の光源のうちの少なくともいずれかが取り付けられている。よって、第二骨格部材によって光源が安定的に支持されると共に、第二骨格部材に取り付けられた各光源と球状部の内面との距離を概ね同等にすることができる。
【００１３】
請求項４に記載する本発明の発光球状体は、請求項２又は請求項３に記載の構成において、前記骨格部には、前記球状部の中心を円弧中心として弓状に湾曲する複数の円弧板が前記支柱の軸線周りに並設され、前記円弧板における前記球状部の内面との対向部に前記複数の光源のうちの少なくともいずれかが取り付けられている。
【００１４】
請求項４に記載する本発明の発光球状体によれば、骨格部には、球状部の中心を円弧中心として弓状に湾曲する複数の円弧板が支柱の軸線周りに並設されている。そして、円弧板における球状部の内面との対向部には複数の光源のうちの少なくともいずれかが取り付けられている。よって、円弧板に取り付けられた各光源と球状部の内面との距離を同等にすることができる。
【００１５】
請求項５に記載する本発明の発光球状体は、請求項４記載の構成において、前記骨格部は、前記球状部の内部において前記球状部の中心の高さ位置よりも上方側の高さ位置に配置され、前記支柱に基端部が取り付けられて水平に延びる上側水平部材と、前記球状部の内部において前記球状部の中心の高さ位置に配置され、前記支柱に基端部が取り付けられて前記上側水平部材と同じ方向に延びると共に、前記支柱からの延出長さが前記上側水平部材における前記支柱からの延出長さよりも長く設定された中間水平部材と、前記球状部の内部において前記球状部の中心の高さ位置よりも下方側の高さ位置に配置され、前記支柱に基端部が取り付けられて前記上側水平部材と同じ方向に延びると共に、前記支柱からの延出長さが前記中間水平部材における前記支柱からの延出長さよりも短く設定された下側水平部材と、を備えており、前記円弧板は、前記上側水平部材の先端部、前記中間水平部材の先端部、及び前記下側水平部材の先端部に取り付けられている。
【００１６】
請求項５に記載する本発明の発光球状体によれば、骨格部は、上側水平部材、中間水平部材、及び下側水平部材を備えている。上側水平部材は、球状部の内部において球状部の中心の高さ位置よりも上方側の高さ位置に配置され、支柱に基端部が取り付けられて水平に延びている。これに対して、中間水平部材は、球状部の内部において球状部の中心の高さ位置に配置され、支柱に基端部が取り付けられて上側水平部材と同じ方向に延びると共に、支柱からの延出長さが上側水平部材における支柱からの延出長さよりも長く設定されている。また、下側水平部材は、球状部の内部において球状部の中心の高さ位置よりも下方側の高さ位置に配置され、支柱に基端部が取り付けられて上側水平部材と同じ方向に延びると共に、支柱からの延出長さが中間水平部材における支柱からの延出長さよりも短く設定されている。ここで、円弧板は、上側水平部材の先端部、中間水平部材の先端部、及び下側水平部材の先端部に取り付けられている。このため、円弧板が安定的に保持され、円弧板に取り付けられた光源の位置も安定する。
【００１７】
請求項６に記載する本発明の発光球状体は、請求項２〜請求項５のいずれか１項に記載の構成において、前記球状部は、前記支柱の軸線周りに並設される複数のピースで構成され、前記複数のピースの各々は、前記球状部の外周面の一部を構成する本体部と、前記本体部において隣り合う他の前記本体部との境界部から前記球状部の内側に延出されると共に隣り合う前記ピース同士の連結用とされたフランジ部と、を備えている。
【００１８】
請求項６に記載する本発明の発光球状体によれば、球状部は、支柱の軸線周りに並設される複数のピースで構成されている。そして、複数のピースの各々は、球状部の外周面の一部を構成する本体部を備えると共に、本体部において隣り合う他の本体部との境界部から球状部の内側に延出されたフランジ部を備えている。ここで、隣り合うピース同士をフランジ部で連結することで、外周面に溶着部のない球状部を形成することができるので、球状部の全体を見栄え良く光らせることができる。
【発明の効果】
【００１９】
以上説明したように、本発明に係る発光球状体によれば、長期間の設置が可能で、大型化しても球状部全体を発光させることができるという優れた効果を有する。
【図面の簡単な説明】
【００２０】
【図１】本発明の一実施形態に係る発光球状体を示す斜視図である。
【図２】図１の発光球状体の本体骨格（骨格部の一部）等を示す斜視図である。
【図３】図１の発光球状体を正面視の縦断面図である。
【図４】図１の発光球状体を水平に切断した状態で示す断面図である。図４（Ａ）は、図１の４Ａ−４Ａ線に沿った断面図である。図４（Ｂ）は、図１の４Ｂ−４Ｂ線に沿った断面図である。
【図５】図１の発光球状体の上端部を示す平面図である。
【図６】図１の発光球状体の上下端部を示す縦断面図である。図６（Ａ）は、発光球状体の上端部の縦断面図である。図６（Ｂ）は、発光球状体の下端部の縦断面図である。
【図７】発光球状体を図３に示される断面位置から支柱の軸線周りに１１．２５°ずらした位置にて切断した状態で示す縦断面図である。
【図８】第二骨格部材と円弧板との配置関係の一部を示す概略正面図である。
【図９】図１の発光球状体におけるＬＥＤとその取付相手を示す概略斜視図である。
【発明を実施するための形態】
【００２１】
（実施形態の構成）
本発明の一実施形態に係る発光球状体について図１〜図９を用いて説明する。図１には、本発明の一実施形態に係る発光球状体１０が斜視図にて示されている。また、図２には、発光球状体１０の本体骨格４０（骨格部１６の一部）等が球状部１２を取り外した状態の斜視図にて示され、図３には、発光球状体１０の正面視の縦断面図が示されている。なお、図を見易くするために、図１及び図２では詳細部位を適宜簡略化して示すと共に、図２では、骨格部１６のうち後述するサブ骨格６０（図７参照）については図示を省略している。
【００２２】
まず、発光球状体１０の全体構成を概説する。図１〜図３に示されるように、発光球状体１０は、内部が中空とされた球状部１２を有している。球状部１２は、白色（乳白色）のポリエチレンで成形されて光透過性を有している。図２及び図３に示されるように、球状部１２の内部には、球状部１２の骨格を成す骨格部１６が配置されており、球状部１２の設置状態の下端部は、支柱１４によって貫通されている。支柱１４は、平面視において球状部１２の中心位置を軸心位置としており、骨格部１６は、球状部１２と支柱１４とを連結させて球状部１２を支柱１４に支持させている。また、図３に示されるように、球状部１２の内部には、骨格部１６に取り付けられた複数の光源としてのＬＥＤ（発光ダイオード）１８が配置されている。なお、本実施形態のＬＥＤ１８としては、図９に示されるように、Ｒ（レッド）のＬＥＤ１８Ｒ、Ｇ（グリーン）のＬＥＤ１８Ｇ、及びＢ（ブルー）のＬＥＤ１８Ｂの計三個のＬＥＤ（詳細図示省略）を並べて一組とされたＬＥＤモジュールが適用されている。Ｒ（レッド）のＬＥＤ１８Ｒ、Ｇ（グリーン）のＬＥＤ１８Ｇ、及びＢ（ブルー）のＬＥＤ１８Ｂは、それぞれ独立して発光させることが可能となっている。
【００２３】
次に、各構成部について詳細に説明する。図１に示されるように、球状部１２は、支柱１４の軸線周りに並設される複数のピース２０で構成されている。より具体的には、球状部１２は、支柱１４の軸線周りに八分割されると共に上下に二分割されており、計十六個のピース２０で構成されている。これらのピース２０は、回転成形によって成形されている。なお、図２では、複数のピース２０のうちの一部（四個）のみを示している。図２及び図３に示されるように、複数のピース２０の各々は、球状部１２の外周面の一部を構成する本体部２０Ａと、本体部２０Ａにおいて隣り合う他の本体部２０Ａとの境界部から球状部１２の内側に延出されると共に隣り合うピース２０同士の連結用とされたフランジ部２０Ｂと、を備えている。なお、複数のピース２０のうちの一個には、球状部１２の内部を点検するための点検口２０Ｘ（図３参照）が形成されている。
【００２４】
球状部１２の中心に立設される支柱１４は、パイプで構成されている。図３に示されるように、支柱１４の下端部は、ジョイント部材２２を介してフロアＦＬに設置されている。ジョイント部材２２は、支柱１４よりも大径の筒状部材とされ、支柱１４の下端部が挿入されている。そして、支柱１４の下端部は、ジョイント部材２２を外周側から貫通した押しボルト２４によってジョイント部材２２に固定されている。
【００２５】
支柱１４の下端外周側には、第一リング２６Ａ及び第二リング２６Ｂが固着されている。第一リング２６Ａは、支柱１４の下端端末側にフランジ状に設けられている。第一リング２６Ａの外径は、ジョイント部材２２の内径と略等しい（厳密には極僅かに小さい）寸法に設定されている。第二リング２６Ｂは、第一リング２６Ａよりも上方側にフランジ状に設けられている。第二リング２６Ｂの外径は、ジョイント部材２２の外径よりも大きい寸法に設定されている。そして、支柱１４の設置状態では、第二リング２６Ｂがジョイント部材２２の上端開口縁部に支持されている。
【００２６】
図６（Ｂ）には、発光球状体１０の下端部が縦断面図にて示されている。図６（Ｂ）に示されるように、球状部１２の下端部には、下端開口部１２Ａが形成されており、これにより、球状部１２の下端部は、上下方向に貫通している。支柱１４は、球状部１２の下端開口部１２Ａを上下方向に貫通している。
【００２７】
球状部１２の下端開口部１２Ａの周縁部下面側には、カバープレート２８が配置されている。カバープレート２８には、球状部１２の下端開口部１２Ａに対応して上下方向に貫通する開口部２８Ａが形成されている。カバープレート２８の開口部２８Ａの内径は、支柱１４の外径よりも極僅かに大きい寸法に設定されている。また、球状部１２の下端開口部１２Ａの周縁部上面側には、受けプレート３０が配置されている。受けプレート３０には、球状部１２の下端開口部１２Ａに対応して上下方向に貫通する開口部３０Ａが形成されている。受けプレート３０の開口部３０Ａの内径は、支柱１４の外径よりも極僅かに大きい寸法に設定されている。
【００２８】
受けプレート３０の開口部３０Ａの周縁部は、球状部１２の各ピース２０に対応するように放射状に張り出しており、張出部分の各上面には、ウエルドナット３２Ａが予め固着（溶接）されている。また、カバープレート２８の開口部２８Ａの周縁部も球状部１２の各ピース２０に対応するように放射状に張り出しており、張出部分の各下面側から挿通されたボルト３２Ｂがウエルドナット３２Ａに螺合されることで、カバープレート２８及び受けプレート３０が球状部１２の下端開口部１２Ａの周縁部に取り付けられている。なお、図を見易くするために、図中では、球状部１２の下端開口部１２Ａの周縁部と受けプレート３０との間に若干の隙間が設けられているが、ボルト締結後の完成状態では、受けプレート３０は球状部１２の下端開口部１２Ａの周縁部に接している。
【００２９】
図６（Ａ）には、発光球状体１０の上端部が縦断面図にて示され、図５には、発光球状体１０の上端部が平面図にて示されている。図６（Ａ）に示されるように、球状部１２の上端部には、上端開口部１２Ｂが形成されており、これにより、球状部１２の上端部は、上下方向に貫通している。支柱１４の上端面は、球状部１２の上端開口部１２Ｂよりも若干低い高さ位置に設定されている。
【００３０】
図５及び図６（Ａ）に示されるように、球状部１２の上端開口部１２Ｂの上方側には、カバープレート３４が配置されている。カバープレート３４は、球状部１２の上端開口部１２Ｂを上方側から覆うプレート本体３４Ａを備えると共に、球状部１２の各ピース２０に対応するように放射状に張り出して球状部１２の上端開口部１２Ｂの周縁部に重ね合わせられた張出部３４Ｂを備えている。また、図６（Ａ）に示されるように、球状部１２の上端開口部１２Ｂの下方側には、受けプレート３６が配置されている。受けプレート３６は、球状部１２の上端開口部１２Ｂを下方側から覆うプレート本体３６Ａを備えると共に、球状部１２の各ピース２０に対応するように放射状に張り出した張出部３６Ｂを備えている。
【００３１】
受けプレート３６の張出部３６Ｂの下面には、ウエルドナット３８Ａが予め固着（溶接）されている。そして、カバープレート３４の張出部３４Ｂの上面側から挿通されたボルト３８Ｂがウエルドナット３８Ａに螺合されることで、カバープレート３４及び受けプレート３６が球状部１２の上端開口部１２Ｂの周縁部に取り付けられている。なお、図を見易くするために、図中では、球状部１２の上端開口部１２Ｂの周縁部と受けプレート３６との間に若干の隙間が設けられているが、ボルト締結後の完成状態では、受けプレート３６は球状部１２の上端開口部１２Ｂの周縁部に接している。
【００３２】
受けプレート３６のプレート本体３６Ａの下面には、支柱１４の上端開口面１４Ａ（図５参照）が突き当てられている。受けプレート３６のプレート本体３６Ａの下面において支柱１４の上端開口面１４Ａ（図５参照）よりも内側には、ウエルドナット３８Ｃ（図６（Ａ）では支柱１４の上端を一部切り欠いて図示）が予め固着（溶接）されている。そして、カバープレート３４のプレート本体３４Ａの上面側から挿通されたボルト３８Ｄがウエルドナット３８Ｃに螺合されている。なお、このボルト３８Ｄに代えて、吊り上げ用のアイボルト（図中の二点鎖線参照）を適用してもよい。
【００３３】
図４（Ａ）には、図１の４Ａ−４Ａ線に沿った水平断面図が示され、図４（Ｂ）には、図１の４Ｂ−４Ｂ線に沿った水平断面図が示されている。なお、図４では、図を見易くするために、骨格部１６のうち後述する本体骨格４０以外の部位の水平部材（後述するサブ骨格６０の上側水平部材６２及び中間水平部材６４）については二点鎖線で示している。
【００３４】
図３及び図４に示されるように、骨格部１６は、本体骨格４０（本体鉄骨）を備えている。本体骨格４０は、球状部１２を支持及び補強しながらＬＥＤ１８の取り付けも可能とするために設けられた鉄骨である。本体骨格４０は、球状部１２の中心部から放射状に延びる複数の第一骨格部材４２を備えている。第一骨格部材４２は、図３に示される縦断面において支柱１４と共に球状部１２を八等分するように配置され、図４（Ａ）に示される水平断面において球状部１２を八等分するように配置されている。複数の第一骨格部材４２は、それぞれ鉄骨のアングル材で構成されている。第一骨格部材４２において支柱１４の側の端部は、球状部１２の中心部で支柱１４の外周側に固定された被取付部１５にボルト締結及び溶接で固定されている。
【００３５】
図３の右上の部分拡大図に示されるように、第一骨格部材４２において球状部１２の側の端部には、第一骨格部材４２の延在方向に直交するように突き当てられたプレート４４Ａがアーク溶接で結合されている。プレート４４Ａには、図示しないボルト挿通孔が貫通形成されると共に、前記ボルト挿通孔の周縁部で球状部１２の側とは反対側の面にはウエルドナット４４Ｂが固着されている。
【００３６】
ウエルドナット４４Ｂには、球状部１２の側から挿通された羽子板ボルト４６のボルト部４６Ａが螺合されている。羽子板ボルト４６は、ボルト部４６Ａにおける球状部１２の側の端部に羽子板部４６Ｂが溶接されたものであり、羽子板部４６Ｂには、ボルト部４６Ａが溶接される側の端部とは反対側の端部にボルト挿通孔４６Ｂ１が貫通形成されている。羽子板部４６Ｂは、球状部１２の（上下方向や周方向に）隣り合うピース２０同士の境界部付近に配置され、羽子板部４６Ｂ及び連結プレート４８を貫通したボルト５０Ａに図示しないナットが螺合されることで連結プレート４８に締結されている。球状部１２の内側で羽子板部４６Ｂに固定された連結プレート４８は、隣り合うピース２０の各々のフランジ部２０Ｂにボルト５０Ｂを用いてボルト締結されている。以上により、第一骨格部材４２は、羽子板ボルト４６及び連結プレート４８等を介して支柱１４と球状部１２とを連結している。
【００３７】
図３及び図４に示されるように、本体骨格４０は、複数の第一骨格部材４２及び支柱１４のうち球状部１２の中心部周りに互いに隣り合うもの同士を直線状に連結した複数の第二骨格部材５２を備えている。複数の第二骨格部材５２は、球状部１２の中心部周りに正多角形（正八角形）を形成するようにそれぞれ配置されている。
【００３８】
複数の第二骨格部材５２は、それぞれ鉄骨のアングル材で構成されている。第二骨格部材５２において第一骨格部材４２の側の端部は、連結部材５４にボルト締結及び溶接によって結合され、この連結部材５４を介して、第一骨格部材４２、及び他の第二骨格部材５２の端部と結合されている。連結部材５４は、第一骨格部材４２ともボルト締結及び溶接によって結合されている。また、複数の第二骨格部材５２のうち支柱１４に隣接するものについては、当該支柱１４に隣接する端部が、支柱１４の外周側に固定された被取付部５６にボルト締結及び溶接で固定されている。第二骨格部材５２における球状部１２の内面との対向部には、複数のＬＥＤ１８が一例として両面テープで取り付けられている。また、本実施形態では、一例として、図３に示される第二骨格部材５２に複数のＬＥＤ１８が取り付けられ、図４（Ａ）に示される第二骨格部材５２にＬＥＤ１８が取り付けられていないが、図４（Ａ）に示される第二骨格部材５２に複数のＬＥＤ１８が取り付けられてもよい。
【００３９】
また、本体骨格４０は、図３に示される斜め上方側に延びて支柱１４周りに互いに隣り合う第一骨格部材４２同士、又は斜め下方側に延びて支柱１４周りに互いに隣り合う第一骨格部材４２同士を、直線状に連結した複数の第三骨格部材５８（図４（Ｂ）参照）を備えている。図４（Ｂ）に示されるように、複数の第三骨格部材５８は、支柱１４周りに正多角形（正八角形）を形成するようにそれぞれ配置されている。
【００４０】
複数の第三骨格部材５８は、それぞれ鉄骨のアングル材で構成されている。第三骨格部材５８の延在方向の両端部は、連結部材５４にボルト締結及び溶接によって結合され、この連結部材５４を介して、第一骨格部材４２、第二骨格部材５２、及び他の第三骨格部材５８の端部と結合されている。なお、本実施形態では、一例として、第三骨格部材５８にＬＥＤ１８は取り付けられていないが、第三骨格部材５８における球状部１２の内面との対向部に複数のＬＥＤ１８が両面テープで取り付けられてもよい。
【００４１】
一方、図７には、発光球状体１０を図３に示される断面位置から支柱１４の軸線周りに１１．２５°ずらした位置にて切断した状態の縦断面図が示されている。なお、図３には、図７に図示されて詳細後述する円弧板７０を図７と同じ位置にて二点鎖線で示している。図７に示されるように、骨格部１６は、サブ骨格６０を備えている。サブ骨格６０は、ＬＥＤ１８をより効果的に配置するために設けられた骨格であり、上側水平部材６２、中間水平部材６４、下側水平部材６６、及び円弧板７０を備えている。また、上側水平部材６２、中間水平部材６４、及び下側水平部材６６は、鉄骨のアングル材で構成されている。
【００４２】
上側水平部材６２は、球状部１２の内部において球状部１２の中心の高さ位置よりも上方側の高さ位置に配置され、その基端部が支柱１４にボルト締結及び溶接で取り付けられており、水平に延びている。上側水平部材６２の先端位置は、その高さ位置及び支柱１４からの半径方向距離が、図３に示される斜め上向きの第一骨格部材４２と、第二骨格部材５２との結合部ａと一致するように設定されている。
【００４３】
図７に示されるように、中間水平部材６４は、球状部１２の内部において球状部１２の中心の高さ位置に配置され、その基端部が支柱１４にボルト締結及び溶接で取り付けられており、上側水平部材６２と同じ方向に延びている。中間水平部材６４の先端位置は、その高さ位置及び支柱１４からの半径方向距離が、図３に示される水平に延びる第一骨格部材４２と、第二骨格部材５２との結合部ｂと一致するように設定されている。換言すれば、図７に示される中間水平部材６４は、支柱１４からの延出長さが上側水平部材６２における支柱１４からの延出長さよりも長く設定されている。
【００４４】
また、下側水平部材６６は、球状部１２の内部において球状部１２の中心の高さ位置よりも下方側の高さ位置に配置され、その基端部が支柱１４にボルト締結及び溶接で取り付けられており、上側水平部材６２と同じ方向に延びている。下側水平部材６６の先端位置は、その高さ位置及び支柱１４からの半径方向距離が、図３に示される斜め下向きの第一骨格部材４２と、第二骨格部材５２との結合部ｃと一致するように設定されている。換言すれば、図７に示される下側水平部材６６は、支柱１４からの延出長さが中間水平部材６４における支柱１４からの延出長さよりも短くかつ上側水平部材６２における支柱１４からの延出長さと等しく設定されている。また、中間水平部材６４と上側水平部材６２との間の距離と、中間水平部材６４と下側水平部材６６との間の距離とは、等しく設定されている。
【００４５】
図４（Ａ）に示されるように、中間水平部材６４（図中では二点鎖線で示す。）は、平面視で支柱１４の軸周りにて互いに隣り合う第一骨格部材４２同士の間をそれぞれ四等分するように複数配置されている。また、図４（Ｂ）に示されるように、上側水平部材６２（図中では二点鎖線で示す。）は、平面視で中間水平部材６４（図４（Ａ）参照）とオーバーラップする位置に配置されている。さらに、詳細図示を省略するが、図７に示される下側水平部材６６は、平面視で上側水平部材６２（図４（Ｂ）参照）及び中間水平部材６４（図４（Ａ）参照）とオーバーラップする位置に配置されている。
【００４６】
図７の部分拡大図に示されるように、中間水平部材６４の先端部には、Ｌ字状の取付金具６８の一辺側がボルト７２Ａ及びナット７２Ｂを用いて取り付けられており、取付金具６８の他辺側には、テックスビス７２Ｃを用いてＬＥＤ取付用の円弧板７０が取り付けられている。すなわち、中間水平部材６４の先端部には取付金具６８を介して円弧板７０が取り付けられている。
【００４７】
図７の右側の全体図に示されるように、円弧板７０は、球状部１２の中心を円弧中心として弓状に湾曲している。円弧板７０は、金属製（本実施形態ではアルミニウム合金製）とされ、曲げ加工により湾曲形状に形成されている。円弧板７０の上部は、上側水平部材６２の先端部にＬ字状の取付金具を介して取り付けられ、円弧板７０の下部は、下側水平部材６６の先端部にＬ字状の取付金具を介して取り付けられている。
【００４８】
図８には、第二骨格部材５２と円弧板７０との配置関係の一部が概略正面図にて示されている。また、図９には、ＬＥＤ１８とその取付相手が概略斜視図にて示されている。図８及び図９に示されるように、円弧板７０は、複数設けられており、支柱１４（図２参照）の軸線周りに並設されている。図９に示されるように、円弧板７０における球状部１２の内面との対向部には、複数のＬＥＤ１８が一例として両面テープで取り付けられている。
【００４９】
なお、詳細図示は省略するが、ＬＥＤ１８の配線は、図３等に示される支柱１４の内側を通って球状部１２の下方側に延び、図示しない電源部に接続されている。これにより、ＬＥＤ１８は、前記電源部から給電されるようになっている。
【００５０】
（実施形態の作用・効果）
次に、上記実施形態の作用及び効果について説明する。
【００５１】
図３等に示される本実施形態に係る発光球状体１０においては、内部が中空とされた球状部１２は、光透過性を有するポリエチレンで成形されている。このため、このような球状部１２は、例えば、光透過性を有するアクリル等で成形されたものに比べて割れにくく耐久性が高い。また、球状部１２の内部には球状部１２の骨格を成す骨格部１６が配置されている。これにより、球状部１２が補強され、長期間の設置に適したものとなっている。
【００５２】
一方、球状部１２は白色となっており、球状部１２の内部には、骨格部１６に取り付けられた複数のＬＥＤ１８が配置されている。このため、外部から球状部１２の内部を見せず（又は殆ど見せず）に球状部１２をその内側から複数のＬＥＤ１８で光らせることができる。また、光の一部は球状部１２の内部で乱反射した後に球状部１２を透過する。そして、このような構成では、球状部１２を大型（一例として直径５ｍ程度）にしても球状部１２の全体を発光させることが可能となっている。
【００５３】
また、本実施形態では、平面視において球状部１２の中心位置を軸心位置とする支柱１４が設けられると共に、支柱１４が球状部１２の設置状態の下端部を貫通している。そして、骨格部１６は、球状部１２と支柱１４とを連結させて球状部１２を支柱１４に支持させているので、球状部１２を安定した状態で設置させることができる。
【００５４】
また、本実施形態では、複数の第一骨格部材４２が、球状部１２の中心部から放射状に延びて支柱１４と球状部１２とを連結している。これに対して、複数の第二骨格部材５２は、複数の第一骨格部材４２及び支柱１４のうち球状部１２の中心部周りに互いに隣り合うもの同士を直線状に連結し、球状部１２の中心部周りに正多角形（より具体的には正八角形）を形成するようにそれぞれ配置されている。そして、第二骨格部材５２における球状部１２の内面との対向部に複数のＬＥＤ１８が取り付けられている。よって、第二骨格部材５２によってＬＥＤ１８が安定的に支持されると共に、第二骨格部材５２に取り付けられた各ＬＥＤ１８と球状部１２の内面との距離を概ね同等にすることができる。
【００５５】
また、骨格部１６には、球状部１２の中心を円弧中心として弓状に湾曲する複数の円弧板７０が支柱１４の軸線周りに並設されている。そして、図９に示されるように、円弧板７０における球状部１２の内面との対向部には複数のＬＥＤ１８が取り付けられている。よって、円弧板７０に取り付けられた各ＬＥＤ１８と球状部１２の内面との距離を同等にすることができる。
【００５６】
また、本実施形態では、図７に示されるように、円弧板７０の支持用として、上側水平部材６２、中間水平部材６４、及び下側水平部材６６が設けられている。上側水平部材６２は、球状部１２の内部において球状部１２の中心の高さ位置よりも上方側の高さ位置に配置され、支柱１４に基端部が取り付けられて水平に延びている。これに対して、中間水平部材６４は、球状部１２の内部において球状部１２の中心の高さ位置に配置され、支柱１４に基端部が取り付けられて上側水平部材６２と同じ方向に延びると共に、支柱１４からの延出長さが上側水平部材６２における支柱１４からの延出長さよりも長く設定されている。また、下側水平部材６６は、球状部１２の内部において球状部１２の中心の高さ位置よりも下方側の高さ位置に配置され、支柱１４に基端部が取り付けられて上側水平部材６２と同じ方向に延びると共に、支柱１４からの延出長さが中間水平部材６４における支柱１４からの延出長さよりも短く設定されている。ここで、円弧板７０は、上側水平部材６２の先端部、中間水平部材６４の先端部、及び下側水平部材６６の先端部に取り付けられている。このため、円弧板７０が安定的に保持され、円弧板７０に取り付けられたＬＥＤ１８の位置も安定する。
【００５７】
また、本実施形態では、図１等に示される球状部１２は、支柱１４の軸線周りに並設される複数のピース２０で構成されている。そして、図２にその一部が示されるように、複数のピース２０の各々は、球状部１２の外周面の一部を構成する本体部２０Ａを備えると共に、本体部２０Ａにおいて隣り合う他の本体部２０Ａとの境界部から球状部１２の内側に延出されたフランジ部２０Ｂを備えている。ここで、隣り合うピース２０同士をフランジ部２０Ｂで連結することで、外周面に溶着部のない球状部１２を形成することができるので、球状部１２の全体を見栄え良く光らせることができる。
【００５８】
以上説明したように、図３等に示される本実施形態に係る発光球状体１０によれば、長期間の設置が可能で、大型化しても球状部１２の全体を発光させることができる。
【００５９】
（実施形態の補足説明）
なお、上記実施形態では、光源としてＬＥＤ１８が適用されているが、光源は、例えば、電界発光素子（エレクトロルミネセンス、ＥＬともいう。）等のような他の光源とすることも可能である。
【００６０】
また、上記実施形態では、支柱１４が設けられているが、発光球状体は、支柱を設けない構成とすることも可能である。すなわち、例えば、上記実施形態における支柱１４に代えて、第一骨格部材４２と同様のアングル材（骨格部の一部を構成する部材）を設けると共に、球状部をフロア上に直接設置するような構造とすることも可能である。
【００６１】
また、上記実施形態では、第二骨格部材５２及び円弧板７０の両方にＬＥＤ１８が取り付けられているが、例えば、第二骨格部材５２のみにＬＥＤ１８（光源）が取り付けられた構成とすることも可能であるし、円弧板７０のみにＬＥＤ１８（光源）が取り付けられた構成とすることも可能である。
【００６２】
また、上記実施形態の変形例として、図７に示される中間水平部材６４が設けられず、円弧板７０が上側水平部材６２の先端部及び下側水平部材６６の先端部に取り付けられた構成も採り得る。
【００６３】
また、上記実施形態の変形例として、上側水平部材６２、中間水平部材６４、下側水平部材６６、及び円弧板７０を備えたサブ骨格６０が設けられない構成も採り得る。
【００６４】
また、上記実施形態では、図１に示される球状部１２は、支柱１４の軸線周りに並設される複数のピース２０で構成されているが、球状部は、例えば、上半分の半球状部と下半分の半球状部とが接合されることで形成されるようなものであってもよい。
【００６５】
さらに、請求項３に記載の「正多角形を形成するように」における「正多角形」の概念には、厳密な意味での正多角形が含まれる他、上記実施形態のように、厳密には正多角形とはいえないものの、「厳密な意味での正多角形を形成する」場合と実質的に同様の作用・効果が得られて実質的に「正多角形」として把握されるようなものも含まれる。
【００６６】
なお、上記実施形態及び上述の複数の変形例は、適宜組み合わされて実施可能である。
【００６７】
以上、本発明の一例について説明したが、本発明は、上記に限定されるものでなく、上記以外にも、その主旨を逸脱しない範囲内において種々変形して実施可能であることは勿論である。
【符号の説明】
【００６８】
１０    発光球状体
１２    球状部
１４    支柱
１６    骨格部
１８    ＬＥＤ（光源）
１８Ｒ、１８Ｇ、１８Ｂ    ＬＥＤ（光源）
２０    ピース
２０Ａ  本体部
２０Ｂ  フランジ部
４２    第一骨格部材
５２    第二骨格部材
６２    上側水平部材
６４    中間水平部材
６６    下側水平部材
７０    円弧板
【図１】
2014157250.tif 000003
【図２】
2014157250.tif 000004
【図３】
2014157250.tif 000005
【図４】
2014157250.tif 000006
【図５】
2014157250.tif 000007
【図６】
2014157250.tif 000008
【図７】
2014157250.tif 000009
【図８】
2014157250.tif 000010
【図９】
2014157250.tif 000011